(57)【要約】【課題】開放型の充填液タンク４を備えた充填装置１の充填運転時に、湯気が放出されることを抑制するとともに、充填液タンク４内にゴミが落下することを防止する。【解決手段】充填液タンク４に充填バルブ６が設けられ、容器内に液体を充填する。充填液タンク４の上方に固定の密閉用蓋８が設置され、洗浄時には、充填液タンク４を上昇させることにより密閉用の蓋８に密着させ、クランプ２６によって押さえつけて充填液タンク４内を密閉することができる。充填時には、充填液タンク４を下降させて密閉用の蓋８と離し、充填液タンク４上に中蓋２４を装着する。中蓋２４は、６個に分割された中蓋部材２４Ａからなり、それぞれクランプ２６によって充填液タンク４に固定される。【選択図】        図１
2004224424.tif 000002
【特許請求の範囲】
【請求項１】
充填液を貯留する充填液タンクと、この充填液タンクに連通して設けられた充填手段と、前記充填液タンクを密閉可能な蓋と、この密閉用の蓋および充填液タンクの少なくとも一方を昇降させる昇降手段と、前記充填液タンクに着脱可能に設けられた中蓋とを備え、
充填時には充填液タンクに密閉用の蓋を取り付けずに中蓋を装着し、洗浄時には中蓋を取り外して密閉用の蓋により充填液タンクを密閉することを特徴とする充填装置。
【請求項２】
前記中蓋を、分割した複数枚の中蓋部材から構成したことを特徴とする請求項１に記載の充填装置。
【請求項３】
前記充填液タンクに、充填時には中蓋を固定し、洗浄時には密閉用の蓋を固定するクランプを設けたことを特徴とする請求項１または請求項２に記載の充填装置。
【発明の詳細な説明】
【０００１】
【発明が属する技術分野】
本発明は充填装置に係り、特に、充填時には充填液タンクを開放して充填を行うとともに、洗浄時には蓋により充填液タンクを密閉するようにした充填装置に関するものである。
【０００２】
【従来の技術】
充填液タンクの上面が開放され、充填を行う際にはこの充填液タンクを開放したままで運転を行い、洗浄時には、密閉用の蓋によって前記充填液タンクの上面開口部を密閉して自動的に洗浄を行うようにした充填装置が従来から知られている。
【０００３】
【発明が解決しようとする課題】
前記のような構成の充填装置では、高温の充填液を扱う場合には、湯気が工場内に立ち込み、作業衛生上好ましくないという問題があった。また、充填液タンク内に異物が落下するという危険性もあった。
【０００４】
本発明は前記課題を解決するためになされたもので、開放型の充填液タンクであっても、充填時の湯気の放出を押さえることができ、しかも、上方からのゴミの落下による液中への混入も防ぐことができる充填装置を提供することを目的とするものである。
【０００５】
【課題を解決するための手段】
請求項１に記載した発明に係る充填装置は、充填液を貯留する充填液タンクと、この充填液タンクに連通して設けられた充填手段と、前記充填液タンクを密閉可能な蓋と、この密閉用の蓋および充填液タンクの少なくとも一方を昇降させる昇降手段と、前記充填液タンクに着脱可能に設けられた中蓋とを備え、充填時には充填液タンクに密閉用の蓋を取り付けずに中蓋を装着し、洗浄時には中蓋を取り外して密閉用の蓋により充填液タンクを密閉するようにしたものである。
【０００６】
この発明に係る充填装置では、充填時に、密閉用の蓋によって充填液タンクを密閉しないが、中蓋を取り付けて覆っているので、高温の充填液を充填する場合でも湯気の放出を抑制することができる。また、上方から充填液タンク内にゴミ等が落下して充填液内に混入することを防止することもできる。
【０００７】
また、請求項２に記載の発明に係る充填装置は、前記中蓋を、分割した複数枚の中蓋部材から構成したことを特徴とするものである。
【０００８】
この発明では、中蓋が複数に分割した中蓋部材から構成されているので、中蓋を装着または取り外す際に、取り扱いが容易で作業性が向上する。しかも、取り外し後の洗浄も容易である。
【０００９】
さらに、請求項３に記載の発明に係る充填装置は、前記充填液タンクに、充填時には中蓋を固定し、洗浄時には密閉用の蓋を固定するクランプを設けたことを特徴とするものである。
【００１０】
この発明に係る充填装置では、密閉用の蓋および中蓋の両者を固定可能なクランプを有しているので、蓋および中蓋の装着、取り外しが簡単であり、作業性がよい。
【００１１】
【発明の実施の形態】
以下、図面に示す実施の形態により本発明を説明する。図１は本発明の一実施の形態に係る充填装置の縦断面図、図２は充填液タンクに中蓋を装着した状態の平面図である。この充填装置（全体として符号１で示す）は、中央の回転軸２上に取り付けられて回転する充填液タンク４と、この充填液タンク４の外周部下方に円周方向等間隔で設けられて、充填液タンク４内に連通し、その下方に供給された容器（図示せず）内に充填液タンク４内の充填液を充填する複数の充填手段（充填バルブ）６とを備えている。
【００１２】
この充填装置１は、回転式のウエイトフィラであり、図示しない回転手段によって回転しながら、容器内に所定重量の充填液の充填を行い、その充填重量をロードセルにより計測するようになっている。
【００１３】
前記充填液タンク４は上面が開放されており、その上方に、上面の開口部を密閉する蓋８が設けられている。この蓋８は門型のフレーム１０に複数本の支持ロッド１２を介して吊り下げられている。密閉用の蓋８の下方に位置する充填液タンク４は、昇降手段１４によって昇降できるようになっており、上昇させると充填液タンク４の上面開口部に装着したＯリング１６が蓋８の下面側の外周部に密着して、充填液タンク４内を密封することができる。
【００１４】
充填液タンク４の上方に固定されている密閉用の蓋８には、外部からこの充填液タンク４に充填液を供給する給液配管１８、洗浄時に洗浄液を供給する洗浄配管２０および充填液タンク４内の液面レベルを検出するレベルセンサ２２が設けられている。なお、この実施の形態では、前記給液配管１８によって充填液タンク４に供給され、充填バルブ６から容器内に充填される充填液は、高温（例えば９０℃）のノンガス飲料（例えば酒、ジュース等）である。
【００１５】
この充填装置１は、前記固定式の密閉用蓋８の他に、着脱可能な中蓋２４を備えている。中蓋２４は、図２に示すように、６分割された形状をしており、これら６個の中蓋部材２４Ａを充填液タンク４上にセットすると、この充填液タンク４の開口部を全周に亘って覆うことができる。これら各中蓋部材２４Ａは、図３に示すように、充填液タンク４の開口部上に載る底面部２４Ａａと、充填液タンク４への装着時に前記密閉用の蓋８よりも上方に位置する天面部２４Ａｂと、これら底面部２４Ａａおよび天面部２４Ａｂの外周側を接続する外面部２４Ａｃとを有している。天面部２４Ａｂは半径方向の幅が狭く、一方、底面部２４Ａａは充填液タンク４の中心方向へ長く延びている。各中蓋部材２４Ａの外面部には、それぞれ取っ手２４Ａｄが取り付けられており、中蓋２４の着脱を行う際には、作業者がこの取っ手２４Ａｄを掴んで作業を行うようになっている。なお、この実施の形態では、この中蓋２４はステンレス製である。
【００１６】
前記充填液タンク４には、密閉用の蓋８および中蓋２４をこの充填液タンク４に固定するクランプ２６が設けられている。このクランプ２６は、図３および図４に示すように、充填液タンク４の外壁面の上部に取り付けられた支持部２６ａに回転可能に支持されている水平な支点軸２６ｂと、この支点軸２６ｂに固定され、支点軸２６ｂを中心に回転可能なシャフト２６ｃと、シャフト２６ｃの支点軸２６ｂ寄りに嵌装されたクランプ部材２６ｄと、シャフト２６ｃの支点軸２６ｂから遠い側に形成されたねじ部２６ｅに螺合されているクランプハンドル２６ｆとを備えている。
【００１７】
前記中蓋２４の底面部２４Ａａ外周端には、下向きに延びる係合部２４Ａｅが設けられている。一方、前記クランプ部材２６ｄの先端面には中蓋押さえ部２６ｇが形成されており、前記支持部２６ａとクランプ部材２６ｄの先端面の中蓋押さえ部２６ｇとの間に、前記中蓋部材２４Ａの係合部２４Ａａを挟み込んで、クランプハンドル２６ｆを回転させることにより、中蓋押さえ部２６ｇが係合部２４Ａｅを支持部２６ａ側に押し付けて中蓋部材２４Ａを固定することができる。なお、中蓋２４を分割した中蓋部材２４Ａの数は６枚に限るものではなく、充填液タンク４のサイズや中蓋２４の重量等に応じて適宜の枚数に分割することができる。また、この実施の形態では、各中蓋部材２４Ａに２個所のクランプ２６が設けられているが、このクランプ２６の数は、中蓋２４を分割した数等に応じて適宜設ければよい。
【００１８】
前記クランプ部材２６ｄの外面には、外方へ突出した密閉蓋押さえ部２６ｈが設けられている。この密閉蓋押さえ部２６ｈは、図４に示すように、シャフト２６ｃを回転させ直立した状態にして、クランプハンドル２６ｆを回すことにより密閉用の蓋８の上面に圧接され、充填液タンク４の上端面とこのクランプ２６の密閉蓋押さえ部２６ｈとの間に密閉用の蓋８の外周部を挟み込んで固定することができる。
【００１９】
以上の構成に係る充填装置１の作動について説明する。先ず、通常の充填運転を行う場合には、図３に示すように、充填液タンク４は昇降手段１４によって下降させておき、この充填液タンク４上に中蓋２４を装着する。中蓋２４を構成する各中蓋部材２４Ａを所定の位置にセットすると、底面部２４Ａａの半径方向外方側の部分が充填液タンク４の壁面上に載り、天面部２４Ａｂは固定位置にある密閉用の蓋８の上方に間隙を隔てた状態で位置する。この状態で、クランプ２６のシャフト２６ｃを水平位置にして、支持部２６ａとクランプ部材２６ｄ先端の中蓋押さえ部２６ｇとの間に中蓋部材２４Ａの係合部２４Ａｅを挟み、クランプハンドル２６ｆを回転させると、中蓋部材２４Ａが充填液タンク４上に固定される。
【００２０】
６個の中蓋部材２４Ａを前記のように充填液タンク４の上面に固定した後、充填装置１を運転する。充填装置１の運転により、充填液タンク４および中蓋２４は一体的に回転する。中蓋２４は、固定されている密閉用の蓋８に対して間隙を有して配置されているので、中蓋２４と密閉用の蓋８とが干渉することはない。充填時には、このように密閉用の蓋８を開放した状態であるが、中蓋２４を固定して充填液タンク４の上面を覆っているので、開放型の充填液タンク４であっても、高温の充填液から発生する湯気が外部に放出されることを抑えることができる。しかも、ゴミが充填液タンク４内に落下するおそれもない。また、この実施の形態では、中蓋２４を複数の中蓋部材２４Ａに分割してあるので、設置および取り外しが容易であり、その後の洗浄も容易に行うことができる。
【００２１】
また、この充填装置１の洗浄を行う際には、前記クランプハンドル２６ｆを緩めて中蓋部材２４Ａの係合部２４Ａｅを解放し、全ての中蓋部材２４Ａを充填液タンク４上から取り外す。その後、昇降手段１４により充填液タンク４を上昇させてその開口部の上端を密閉用の蓋８の下面外周部に押し付ける。そして、前記クランプ２６のシャフト２６ｃを支点軸２６ｂを中心に回転させて直立した状態にする。この状態にすると、図４に示すように、クランプ部材２６ｄの外面に形成されている密閉蓋押さえ部２６ｈが密閉用の蓋８の上面外周部の上方に位置する。ここでクランプハンドル２６ｆを回転させてクランプ部材２６ｄを押し下げ、密閉蓋押さえ部２６ｈを密閉用の蓋８の上面に押し付けることにより、この密閉用の蓋８と充填液タンク４とを固定する。充填液タンク４の上端面にはＯリング１６が装着されているので、密閉用の蓋８を充填液タンク４に押し付けると、充填液タンク４内は密封され、充填装置１の内部の洗浄を行うことができる。
【００２２】
なお、前記実施の形態では、充填液タンク４と密閉用の蓋８とを密着させるために、昇降手段１４によって充填液タンク４を上昇させるようにしたが、必ずしも充填液タンク４を昇降させる構成の必要はなく、密閉用の蓋８を、あるいは充填液タンク４と密閉用の蓋８の双方を昇降させるようにしても良い。
【００２３】
【発明の効果】
以上説明したように本発明によれば、充填液を貯留する充填液タンクと、この充填液タンクに連通して設けられた充填手段と、前記充填液タンクを密閉可能な蓋と、この密閉用の蓋および充填液タンクの少なくとも一方を昇降させる昇降手段と、前記充填液タンクに着脱可能に設けられた中蓋とを備え、充填時には充填液タンクに密閉用の蓋を取り付けずに中蓋を装着し、洗浄時には中蓋を取り外して密閉用の蓋により充填液タンクを密閉するこにより、開放型の充填液タンクであっても、充填運転時の湯気の放出を押さえることができ、また、ゴミが充填液タンク内に混入することも防止することができる。
【図面の簡単な説明】
【図１】本発明の一実施の形態に係る充填装置の縦断面図である。
【図２】前記充填装置の充填時の状態を示す平面図である。
【図３】前記充填装置の充填液タンクに中蓋を装着した状態を示す要部の縦断面図である。
【図４】前記充填装置の充填液タンクを密閉用の蓋に押し付けて充填液タンク内を密閉した状態を示す要部の縦断面図である。
【符号の説明】
４    充填液タンク
６    充填手段
８    蓋
１４    昇降手段
２４    中蓋
【図１】
2004224424.tif 000003
【図２】
2004224424.tif 000004
【図３】
2004224424.tif 000005
【図４】
2004224424.tif 000006